(57)【要約】【課題】加熱調理器の蓋体を開ける際の操作性を、より優れたものにする。【解決手段】加熱調理器１００は、被調理物を加熱調理するための調理手段を有する本体１と、本体１に接続された開閉自在な蓋体２と、蓋体２に設けられた取っ手３と、本体１に設けられたラッチ受け部６に係合することで蓋体２を閉じた状態で固定するラッチ部４と、ラッチ部４をラッチ受け部６から取り外すレバー５と、を備える。ラッチ部４およびレバー５は、取っ手３に設けられている。取っ手３は、蓋体２の側方に突出する。ラッチ部４およびレバー５は、蓋体２の側方に突出する取っ手３の下面側に設けられている。【選択図】図１
2020000447.tif 000002
【特許請求の範囲】
【請求項１】
被調理物を加熱調理するための調理手段を有する本体と、
前記本体に接続され、上下動によって開閉自在な蓋体と、
前記蓋体に設けられた少なくとも１つの把持部と、
前記把持部に設けられ、前記本体に設けられたラッチ受け部に係合することで前記蓋体を閉じた状態で固定するラッチ部と、
前記把持部に設けられ、前記ラッチ部を前記ラッチ受け部から取り外す操作部と、
を備え、
前記把持部は、前記蓋体が閉じた状態において前記蓋体の側方に突出し、
前記ラッチ部および前記操作部は、前記蓋体が閉じた状態における前記把持部の下面側に設けられている加熱調理器。
【請求項２】
前記ラッチ受け部には、
側方に向けて突出し、前記ラッチ部に当たることで当該ラッチ部の上方への移動を妨げるラッチ止め部と、
前記ラッチ止め部の下方に形成された台部と、
が含まれ、
鉛直方向に直交する投影面において、台部は、前記本体または前記ラッチ止め部または前記本体と前記ラッチ止め部との組み合わせに含まれている請求項１に記載の加熱調理器。
【請求項３】
前記ラッチ部は、前記ラッチ部が前記ラッチ受け部に接触した状態で前記蓋体および前記把持部の少なくとも一方が下方へ動かされると、前記ラッチ受け部に係合する請求項１または請求項２に記載の加熱調理器。
【請求項４】
前記蓋体は、前記本体の後部に接続され、当該後部を支点にして開閉自在であり、
前記把持部は、前記蓋体が閉じた状態において、平面視における前記蓋体の中心よりも前方に配置されている請求項１から請求項３の何れか１項に記載の加熱調理器。
【請求項５】
前記蓋体は、前記本体の後部に接続され、当該後部を支点にして開閉自在であり、
前記蓋体の右面には、第１の前記把持部が設けられ、
前記蓋体の左面には、第２の前記把持部が設けられている請求項１から請求項３の何れか１項に記載の加熱調理器。
【請求項６】
被調理物を加熱調理するための調理手段を有する本体と、
前記本体の後部に接続され、当該後部を支点とする上下動によって開閉自在な蓋体と、
前記蓋体に設けられた複数の把持部と、
少なくとも１つの前記把持部に設けられたラッチ部および操作部と、
を備え、
前記ラッチ部は、前記本体に設けられたラッチ受け部に係合することで前記蓋体を閉じた状態で固定し、
前記操作部は、前記ラッチ部を前記ラッチ受け部から取り外し、
前記蓋体の右面には、右方へ突出する第１の前記把持部が設けられ、
前記蓋体の左面には、左方へ突出する第２の前記把持部が設けられ、
前記ラッチ部および前記操作部は、前記蓋体が閉じた状態における前記第１の前記把持部の下面側および前記第２の前記把持部の下面側の一方に設けられている加熱調理器。
【請求項７】
前記蓋体が閉じた状態における前記第１の前記把持部の前部と前記第２の前記把持部の前部との少なくとも一方には、後方から下方に向けて湾曲する湾曲部が含まれている請求項５または請求項６に記載の加熱調理器。
【請求項８】
前記把持部に設けられた前記ラッチ部および前記操作部は、前記湾曲部に配置されている請求項７に記載の加熱調理器。
【請求項９】
前記蓋体が閉じた状態において、前記操作部が設けられた前記把持部の下端は、当該操作部の下端よりも低い請求項１から請求項８の何れか１項に記載の加熱調理器。
【発明の詳細な説明】
【技術分野】
【０００１】
本発明は、加熱調理器に関するものである。
【背景技術】
【０００２】
特許文献１に、加熱調理器の一例として炊飯器が記載されている。この炊飯器は、本体を備える。また、この炊飯器は、本体に開閉自在に設けられた蓋体の一例として、外蓋を備えている。外蓋には、当該外蓋の開閉時に押下される操作ボタンと、操作ボタンの動作に連動して動くフックレバーが設けられている。
【先行技術文献】
【特許文献】
【０００３】
【特許文献１】特開２０１５−０００１８８号公報
【発明の概要】
【発明が解決しようとする課題】
【０００４】
上記の特許文献１において、操作ボタンは、外蓋の上面側に設けられている。使用者は、外蓋を開ける際に、操作ボタンを下方へ押す。一方で、使用者は、外蓋を開けるためには、当該外蓋を持ち上げる必要がある。すなわち、特許文献１において、使用者は、外蓋を開けるためには、下方へ力を加える動作と上方へ力を加える動作との両方を行う必要がある。特許文献１においては、相反する方向へ力を加える動作を行わなければ、外蓋を開けることができない。このように、特許文献１等の従来技術においては、加熱調理器の本体に接続された蓋体を開ける際の操作性が優れたものではなかった。
【０００５】
本発明は、上記のような課題を解決するためになされたものである。本発明の目的は、加熱調理器の蓋体を開ける際の操作性を、より優れたものにすることである。
【課題を解決するための手段】
【０００６】
本発明に係る加熱調理器は、被調理物を加熱調理するための調理手段を有する本体と、本体に接続され、上下動によって開閉自在な蓋体と、蓋体に設けられた少なくとも１つの把持部と、把持部に設けられ、本体に設けられたラッチ受け部に係合することで蓋体を閉じた状態で固定するラッチ部と、把持部に設けられ、ラッチ部をラッチ受け部から取り外す操作部と、を備える。把持部は、蓋体の側方に突出する。ラッチ部および操作部は、蓋体が閉じた状態における把持部の下面側に設けられている。
また、本発明に係る加熱調理器は、被調理物を加熱調理するための調理手段を有する本体と、本体の後部に接続され、当該後部を支点とする上下動によって開閉自在な蓋体と、蓋体に設けられた複数の把持部と、少なくとも１つの把持部に設けられたラッチ部および操作部と、を備える。ラッチ部は、本体に設けられたラッチ受け部に係合することで蓋体を閉じた状態で固定し、操作部は、ラッチ部をラッチ受け部から取り外す。蓋体の右面には、右方へ突出する第１の把持部が設けられ、蓋体の左面には、左方へ突出する第２の把持部が設けられる。ラッチ部および操作部は、蓋体が閉じた状態における第１の把持部の下面側および第２の把持部の下面側の一方に設けられている。
【発明の効果】
【０００７】
本発明に係る加熱調理器は、蓋体の側方に突出する把持部と、この把持部の下面側に設けられたラッチ部および操作部を備える。このため、本発明に係る加熱調理器であれば、蓋体を開ける際の操作性を、より優れたものにすることができる。
【図面の簡単な説明】
【０００８】
【図１】実施の形態１の加熱調理器を模式的に示す斜視図である。
【図２】実施の形態１の加熱調理器を模式的に示す斜視図である。
【図３】実施の形態１の取っ手とラッチ部とレバーとの構造の具体例を模式的に示す断面図である。
【図４】実施の形態１の取っ手とラッチ部とレバーとの構造の具体例を模式的に示す断面図である。
【図５】実施の形態１の蓋体を使用者が閉じる動作を示す模式図である。
【図６】実施の形態１の蓋体を使用者が閉じる動作を示す模式図である。
【図７】実施の形態２の加熱調理器を模式的に示す斜視図である。
【図８】実施の形態３の加熱調理器を模式的に示す側面図である。
【図９】実施の形態４の取っ手とラッチ部とレバーとの構造の具体例を模式的に示す断面図である。
【図１０】実施の形態４の取っ手とラッチ部とレバーとの構造の具体例を模式的に示す断面図である。
【図１１】実施の形態５の加熱調理器を模式的に示す斜視図である。
【発明を実施するための形態】
【０００９】
以下、添付の図面を参照して、本発明を実施するための形態について説明する。各図における同一の符号は、同一の部分または相当する部分を示す。また、本開示では、重複する説明については、適宜に簡略化する。なお、本発明は、その趣旨を逸脱しない範囲において、以下の各実施の形態によって開示される構成のあらゆる変形およびあらゆる組み合わせを含み得るものである。
【００１０】
実施の形態１．
図１および図２は、実施の形態１の加熱調理器１００を模式的に示す斜視図である。図１および図２は、水平面に置かれた加熱調理器１００を示している。本開示では、原則として、加熱調理器１００が水平面に置かれた状態を基準として、各方向を定義する。
【００１１】
加熱調理器１００は、本体１および蓋体２を備える。本体１には、加熱調理器１００によって加熱調理される被調理物が収容される。蓋体２は、この本体１に接続される。蓋体２は、開閉自在である。蓋体２は、上下動によって開閉する。
【００１２】
蓋体２は、例えば、本体１に設けられた軸によって支持される。蓋体２は、この軸を支点として回転可能な状態で支持される。蓋体２は、例えば、軸を含むヒンジを介して、本体１に接続されている。図１は蓋体２が開いた状態の加熱調理器１００の外観を示している。図２は、蓋体２が閉じた状態の加熱調理器１００の外観を示している。
【００１３】
蓋体２には、使用者が当該蓋体２を開閉させるための把持部の一例として、取っ手３が設けられている。取っ手３は、蓋体２に設けられている。使用者によって取っ手３が動かされると、蓋体２も動く。
【００１４】
把持部の一例である取っ手３には、ラッチ部４およびレバー５が設けられている。ラッチ部４は、蓋体２を閉じた状態で固定するための部材である。レバー５は、使用者がラッチ部４を動かすための部材である。
【００１５】
本体１には、ラッチ部４が係合可能なラッチ受け部６が設けられている。ラッチ部４およびラッチ受け部６は、互いに噛み合う形状に形成されている。図２において、ラッチ部４は、ラッチ受け部６に係合している。ラッチ部４は、ラッチ受け部６に係合することで、蓋体２を閉じた状態で固定する。
【００１６】
ラッチ部４は、レバー５が使用者に操作されることで動く。ラッチ部４とラッチ受け部６との係合は、レバー５が使用者によって操作されると、解除される。本実施の形態におけるレバー５は、ラッチ部をラッチ受け部から取り外す操作部の一例である。
【００１７】
本体１は、被調理物が収容される調理空間７を有する。調理空間７は、ラッチ部４とラッチ受け部６とによって蓋体２が閉じた状態で固定されることで、密閉される。また、本体１は、調理空間７に収容された被調理物を加熱するためのヒーター等の機器を有している。被調理物を加熱するためのヒーター等の機器は、本開示においては図示を省略している。
【００１８】
調理空間７を区画する部材および被調理物を加熱するための機器は、被調理物を加熱調理するための調理手段の一例である。換言すると、本体１は、被調理物を加熱調理するための調理手段を有している。
【００１９】
なお、本体１は、例えば、被調理物を収容する鍋状の容器を有していてもよい。この場合、調理空間７は、この容器の内側に形成される。鍋状の容器に収容される被調理物には、例えば、米、肉、魚、野菜、水、調味料等が含まれる。被調理物を加熱するためのヒーター等の機器は、被調理物が収容される容器を加熱するように構成されていてもよい。
【００２０】
また、本体１は、例えば、被調理物が置かれる金属製の板状の部材を有していてもよい。この場合、調理空間７は、この板状の部材の上部に形成される。金属製の板状の部材に置かれる被調理物には、例えば、魚、肉、パン等が含まれる。また、加熱調理器１００は、被調理物を圧縮した状態で加熱調理するように構成されていてもよい。被調理物を加熱するためのヒーター等の機器は、蓋体２に設けられていてもよい。
【００２１】
まとめると、本開示に係る加熱調理器１００には、被調理物の加熱調理を行う各種の機器が該当する。加熱調理器１００は、例えば、炊飯器、ホットプレート、グリル、ホットサンドメーカー等である。
【００２２】
加熱調理器１００による加熱調理が実行されると、本体１に接続された蓋体２の温度が上昇しうる。使用者は、昇温した蓋体２に触れる可能性がある。このため、蓋体２は、当該蓋体２の温度が一定温度以下で維持されるように構成されていることが望ましい。この一定温度は、例えば、６０度である。
【００２３】
本実施の形態の加熱調理器１００の概略的な全体構成は、上記した通りである。上記のように構成された加熱調理器１００の各構成要素について、以下、より詳細に説明する。なお、以下の説明においては、蓋体２が閉じた状態を基準として、各方向を定義する。
【００２４】
すなわち、蓋体２の上面とは、蓋体２の表面のうち、蓋体２が閉じた状態において上方を向く面を意味する。また、取っ手３の上面とは、取っ手３の表面のうち、蓋体２が閉じた状態において上方を向く面を意味する。取っ手３の下面とは、取っ手３の表面のうち、蓋体２が閉じた状態において下方を向く面を意味する。また、蓋体２の側面には、蓋体２の前面、後面、左面および右面が含まれる。
【００２５】
図１および図２に示すように、本実施の形態において、蓋体２は、本体１の水平方向一側部分に接続されている。この一側を、後側と定義する。すなわち、本実施の形態において、蓋体２は、本体１の後部に接続されている。
【００２６】
取っ手３は、蓋体２の側面に設けられている。取っ手３は、蓋体２の側方に突出している。なお、取っ手３は、例えば、一端が蓋体２の上面が接続され、他端が蓋体２の側方に突出するように形成されていてもよい。
【００２７】
より具体的には、本実施の形態において、取っ手３は、図１および図２に示すように、蓋体２の前面に設けられている。本実施の形態において、取っ手３は、蓋体２の前方に突出している。取っ手３は、蓋体２に固定されている。なお、取っ手３は、蓋体２と一体的に形成されていてもよいし、蓋体２とは別体して形成されていてもよい。取っ手３は、例えば、蓋体２に着脱可能であってもよい。
【００２８】
上記したように、取っ手３には、ラッチ部４が設けられている。本実施の形態において、ラッチ部４は、取っ手３の下面側に設けられている。一例として、ラッチ部４は、取っ手３の下面から下方に突出している。ラッチ受け部６は、ラッチ部４の位置に合わせて配置される。一例として、ラッチ受け部６は、図１および図２に示すように、本体１の前部の上部に設けられている。
【００２９】
ラッチ受け部６には、図１に示すように、ラッチ止め部６ａと台部６ｂとが含まれる。ラッチ止め部６ａは、前方に突出する部材である。蓋体２が閉じられる際、ラッチ部４は、ラッチ止め部６ａに接触する。ラッチ止め部６ａは、ラッチ部４に当たることで、当該ラッチ部４の移動を制限する。蓋体２が閉じた状態において、ラッチ止め部６ａは、ラッチ部４の上方への移動を妨げる。
【００３０】
台部６ｂは、上記のように構成されたラッチ止め部６ａの下方に形成されている。本実施の形態において、台部６ｂは、一例として、本体１の内方に向かって凹んでいる。ラッチ部４がラッチ受け部６に係合している状態において、ラッチ部４の先端部は台部６ｂに収容される。
【００３１】
図１に示すように、台部６ｂは、ラッチ止め部６ａによって上方から覆われている。より具体的には、蓋体２が開いた状態での上面視において、台部６ｂの全体は、ラッチ止め部６ａによって隠されている。換言すると、鉛直方向に直交する投影面において、台部６ｂは、ラッチ止め部６ａに含まれている。このため、蓋体２が開いた状態において、異物が上方から台部６ｂに落下して付着することが防止される。例えば、調理空間７から出し入れされる被調理物が台部６ｂに付着することが防止される。
【００３２】
このように、本実施の形態であれば、台部６ｂに被調理物等の異物が詰まることが防止される。また、台部６ｂの上方にあるラッチ止め部６ａの下面に被調理物等の異物が付着することも防止される。本実施の形態であれば、異物を要因としてラッチ部４がラッチ受け部６に十分に係合しなくなってしまうことが防止される。なお、上記のように構成されたラッチ受け部６は、本体１と一体的に形成されていてもよいし、別体として形成されていてもよい。
【００３３】
蓋体２が開いた状態での上面視において、台部６ｂの全体は、本体１によって隠されていてもよい。換言すると、鉛直方向に直交する投影面において、台部６ｂは、本体１に含まれていてもよい。また、蓋体２が開いた状態での上面視において、台部６ｂの全体は、本体１の一部とラッチ止め部の一部とによって隠されていてもよい。換言すると、鉛直方向に直交する投影面において、台部６ｂは、本体１とラッチ止め部６ａとを組み合わせたものに含まれていてもよい。台部６ｂが当該台部６ｂとは別の部材によって上方から覆われることで、台部６ｂへの異物の付着が防止される。
【００３４】
また、上記したように、取っ手３には、レバー５が設けられている。図１および図２に示すように、レバー５もラッチ部４と同様に、取っ手３の下面側に設けられている。一例として、レバー５は、取っ手３の下面から下方に突出している。
【００３５】
本実施の形態では、ラッチ部４とレバー５とが、両方共に取っ手３の下面側に設けられている。ラッチ部４とレバー５とは、互いに近接している。このため、レバー５によってラッチ部４を動かすための構造を複雑にする必要がない。また、レバー５とラッチ部４とを繋ぐ部材の点数および大きさを削減することができる。
【００３６】
使用者は、蓋体２を開ける際、レバー５を操作する。また、使用者は、蓋体２を開ける際、取っ手３を下方から上方にむけて押し上げる。すなわち、使用者は、蓋体２を開ける際、取っ手３の下面側を押す。上記したように、本実施の形態においては、レバー５が取っ手３の下面側に設けられている。このため、使用者は、レバー５の操作と取っ手３を押し上げる動作とを並行してやりやすい。
【００３７】
また、図３および図４は、実施の形態１の取っ手３とラッチ部４とレバー５との構造の具体例を模式的に示す断面図である。図３は、ラッチ部４がラッチ受け部６に係合した状態を示している。図４は、ラッチ部４とラッチ受け部６との係合が解除された状態を示している。
【００３８】
図３および図４において、紙面上の上下方向は、実施の形態１における上下方向である。また、図３および図４において、紙面上の左右方向は、実施の形態１における前後方向である。図３および図４を参照し、取っ手３とラッチ部４とレバー５との構造の具体例について説明する。
【００３９】
図３および図４に示すように、ラッチ部４の先端部は、ラッチ止め部６ａに噛み合う爪状に形成されている。ラッチ部４の爪状の先端部を、本実施の形態では爪部４ａと称する。爪部４ａとラッチ止め部６ａとが噛み合うことで、蓋体２は閉じた状態で維持される。爪部４ａの先端は、図３に示すようにラッチ部４とラッチ受け部６とが係合している状態において、台部６ｂに収容されている。
【００４０】
図３に示すようにラッチ部４とラッチ受け部６とが係合している状態において、ラッチ止め部６ａは、爪部４ａの延長方向上方に位置している。この状態においてラッチ部４が上方へ移動しようすると、ラッチ部４の爪部４ａはラッチ止め部６ａに当たる。ラッチ部４とラッチ受け部６とが係合している状態において、爪部４ａを含むラッチ部４の上方への移動は、ラッチ止め部６ａによって妨げられる。
【００４１】
図３および図４に示すように、ラッチ部４は、コイルばね８を介して蓋体２に連結されている。ラッチ部４は、コイルばね８によって、蓋体２のある側へ付勢されている。コイルばね８は、例えば、前後方向に沿って設けられている。ラッチ部４は、蓋体２に対して、前後に移動可能である。
【００４２】
ラッチ部４には、スリット４ｂが形成されている。一例として、レバー５は、スリット４ｂに挿入された軸部５ａと当該軸部５ａに接続されたコイルばね５ｂとを介して、取っ手３に連結されている。軸部５ａの上端は、取っ手３に接続されている。軸部５ａの下端には、コイルばね５ｂの上端が接続されている。コイルばね５ｂの下端は、レバー５に接続されている。
【００４３】
図３に示すようにラッチ部４とラッチ受け部６とが係合している状態においてレバー５に上向きの力が加えられると、レバー５が上方へ動く。上向きの力とは、すなわち、使用者が蓋体２を開けるために取っ手３を押し上げる際に生じる力である。レバー５は、コイルばね５ｂを圧縮しつつ、軸部５ａ側へ動く。
【００４４】
レバー５の上方への移動に伴って、図４に示すように、軸部５ａが挿入されたスリット４ｂを有するラッチ部４が前方へ動く。すなわち、レバー５が上方へ押されると、ラッチ部４は、蓋体２から離れる方向へスライドする。これにより、図４に示すように、ラッチ止め部６ａは、爪部４ａの延長方向上方に位置しない状態になる。ラッチ部４が蓋体２から離れる方向へ動くことで、ラッチ部４とラッチ受け部６との係合が解除される。使用者は、ラッチ部４とラッチ受け部６との係合が解除された状態で取っ手３を押し上げることで、蓋体２を開けることができる。
【００４５】
また、図５および図６は、実施の形態１の蓋体２を使用者が閉じる動作を示す模式図である。図５は、使用者が開いた状態の蓋体２を押し下ることによって、爪部４ａがラッチ止め部６ａに接触した状態を示している。図６は、図５の状態からさらに蓋体２が押し下げられた状態を示している。図５および図６を参照し、蓋体２が閉じられる動作の具体例を説明する。
【００４６】
上記したように、図１は、蓋体２が開いた状態の加熱調理器１００を示している。使用者は、図１に示される状態から、蓋体２および取っ手３の少なくとも一方を下方へ動かすことで、蓋体２を閉じる。この時、例えば、加熱調理器１００による加熱調理が行われた後においては、蓋体２が高温になっている可能性がある。このため、蓋体２を閉じる際において使用者は、取っ手３に触れることが望ましい。図５および図６は、使用者が手９で取っ手３を押し下げる例を示している。
【００４７】
使用者の手９によって取っ手３および蓋体２が押し下げられていくと、当該取っ手３に設けられたラッチ部４の爪部４ａがラッチ止め部６ａの上面に当たる。コイルばね８のばね定数は、爪部４ａがラッチ止め部６ａの上面に接触した状態で使用者が手９を離した場合にラッチ部４とラッチ受け部６とが自動的に係合しないように設定される。すなわち、図５の状態において使用者が手９を取っ手３から離した場合、爪部４ａはラッチ止め部６ａの上面に接触した状態で止まる。図５の状態において使用者が手９を取っ手３から離した場合、蓋体２は自動的には完全に閉じられることがない。
【００４８】
蓋体２を完全に閉めるためには、使用者は、図５に示す状態から蓋体２または取っ手３を更に押し下げる。上記したように、図５および図６は、使用者が手９で取っ手３を押し下げる例を示している。図５に示す状態において、取っ手３が手９によって更に下方へ押されると、ラッチ部４が蓋体２から離れる方向へ徐々にスライドする。爪部４ａとラッチ止め部６ａとの接触点は、爪部４ａの先端側へ徐々に移動する。
【００４９】
手９によって取っ手３が下方へ押され続けると、やがて、爪部４ａの先端がラッチ止め部６ａに接触する。この状態で取っ手３が下方へ押されることで、蓋体２は完全に閉じた状態になる。また、ラッチ部４がコイルばね８によって蓋体２側へ付勢される。これにより、ラッチ部４は、図３に示した状態、すなわちラッチ受け部６に係合した状態になる。ラッチ部４とラッチ受け部６とが係合することによって、蓋体２は閉じた状態で維持される。
【００５０】
以上のように、蓋体２が完全に閉じる前に手９が取っ手３または蓋体２から離れた場合、蓋体２は自動的には閉まりきらない。手９によって下方へ押し下げられた蓋体２は、完全に閉じる前に、ラッチ部４がラッチ受け部６に接触した状態で一旦止まる。蓋体２は、ラッチ部４がラッチ受け部６に接触した状態からさらに使用者によって下方へ動かされることで、完全に閉じる。また、ラッチ部４は、ラッチ受け部６に接触した状態からさらに使用者によって下方へ動かされることで、ラッチ受け部６に係合する。加熱調理器１００の蓋体２を閉じるための構造を上記のように構成することで、例えば、蓋体２と本体１とによって使用者の手９が挟まれてしまう可能性が低くなる。
【００５１】
本実施の形態の加熱調理器１００は、上記したように構成されている。加熱調理器１００は、調理手段を有する本体１と、上下動によって開閉自在な蓋体２と、蓋体２に設けられた取っ手３と、取っ手３に設けられたラッチ部４と、取っ手３に設けられたレバー５と、を備える。開閉自在な蓋体２は、本体１に接続される。取っ手３は、蓋体２を開閉させるための把持部の一例である。ラッチ部４は、本体１に設けられたラッチ受け部６に係合することで、蓋体２を閉じた状態で固定する。レバー５は、ラッチ部４をラッチ受け部６から取り外す操作部の一例である。
【００５２】
把持部の一例である取っ手３は、蓋体２の側方に突出している。そして、ラッチ部４および操作部の一例であるレバー５は、この取っ手３の下面側に設けられている。本実施の形態であれば、使用者は、蓋体２を開けるためのレバー５の操作と取っ手３を押し上げる動作とを並行してやりやすい。例えば、仮にレバー５が取っ手３の上面側にある場合に比べて、使用者は、取っ手３を上方に押し上げるための上向きの力を取っ手３に加えやすい。このように、本実施の形態であれば、蓋体２を開ける際の操作性を、より優れたものにすることができる。また、蓋体２を開けるための動作がやりやすくなることで、例えば、使用者が蓋体２を開ける際に触れる必要のない箇所に触れてしまう可能性も低くなる。
【００５３】
また、取っ手３が蓋体２の側方に突出していることで、例えば、使用者が蓋体２を開けた際、調理空間７から放出された高温の蒸気が当該使用者に当たりにくくなる。また、上記したように、ラッチ部４とレバー５とが近接しているため、レバー５によってラッチ部４を動かすための構造を複雑にする必要がない。レバー５とラッチ部４とを繋ぐ部材の点数および大きさを削減することもできる。
【００５４】
上記したように、使用者は、蓋体２を閉じる際に、蓋体２または取っ手３の上面を押す。本実施の形態においては、レバー５が取っ手３の下面側に設けられているため、蓋体２が閉じられる際に操作の必要がないレバー５に使用者が触れる可能性が低い。
【００５５】
また、本実施の形態において、台部６ｂは、鉛直方向に直交する投影面において、本体１またはラッチ止め部６ａまたは本体１とラッチ止め部６ａとの組み合わせに含まれている。上記の構成によれば、ラッチ止め部６ａの下面および台部６ｂ等への異物の付着が防止される。本実施の形態であれば、異物を要因としてラッチ部４とラッチ受け部６との係合が不十分になってしまうことが防止される。本実施の形態であれば、調理空間７がより確実に密閉される。これにより、例えば、被調理物の調理時に調理空間７から蒸気が漏れることが防止される。
【００５６】
また、ラッチ部４およびレバー５が取っ手３の下面側に設けられているため、上方から落下した異物およびごみ等がラッチ部４およびレバー５へ付着することも抑制される。本実施の形態であれば、異物によってラッチ部４およびレバー５の動作が阻害されることを抑制することができる。
【００５７】
本実施の形態において、蓋体２は、本体１の後部に接続され、当該後部を支点にして開閉自在である。取っ手３は、蓋体２の前面に設けられている。取っ手３は、蓋体２が閉じた状態において、平面視における蓋体２の中心よりも前方に配置されている。取っ手３が蓋体２の開閉の支点からは離れることで、使用者は小さい力で蓋体２を開閉することができる。
【００５８】
なお、取っ手３は、例えば、蓋体２の左面または右面に設けられていてもよい。また、加熱調理器１００は、複数の取っ手３を備えていても良い。加熱調理器１００は、例えば、蓋体２の右面に設けられた取っ手３と蓋体２の左面に設けられた取っ手３とを備えていてもよい。加熱調理器１００は、少なくとも１つの取っ手３を備えるように構成されている。
【００５９】
実施の形態２．
次に、実施の形態２について説明する。実施の形態１と同一または相当する部分については、説明を簡略化および省略する。図７は、実施の形態２の加熱調理器１００を模式的に示す斜視図である。実施の形態１との相違点を中心に、本実施の形態の加熱調理器１００について説明する。
【００６０】
図７に示すように、本実施の形態の加熱調理器１００は、実施の形態１と同様に、本体１および蓋体２を備える。図７は、蓋体２が開いた状態の加熱調理器１００の外観を示している。蓋体２には、取っ手３が設けられている。取っ手３の下面側には、ラッチ部４およびレバー５が設けられている。本体１には、ラッチ受け部６が設けられている。本体１は、被調理物が収容される調理空間７を有する。また、蓋体２は、実施の形態１と同様、本体１の後部に接続されている。蓋体２は、本体１の後部を支点にして開閉自在である。
【００６１】
本実施の形態の加熱調理器１００は、２つの取っ手３を備えている。取っ手３は、蓋体２の左右両側面に１つずつ設けられている。すなわち、蓋体２の右面には、第１の取っ手３が設けられている。第１の取っ手３の下面側には、ラッチ部４およびレバー５が設けられている。また、蓋体２の左面には、第２の取っ手３が設けられている。第２の取っ手３の下面側には、ラッチ部４およびレバー５が設けられている。
【００６２】
また、本体１には、ラッチ部４と同数のラッチ受け部６が設けられている。本実施の形態において、本体１には、２つのラッチ受け部６が設けられている。第１のラッチ受け部６は、本体１の右部の上部に設けられている。第２のラッチ受け部６は、本体１の左部の上部に設けられている。
【００６３】
上記したように、本実施の形態においては、蓋体２の左右両側面に取っ手３が設けられている。これにより、例えば、被調理物の加熱調理の終了後に蓋体２が明けられた際に調理空間７から放出される高温の水蒸気が使用者に当たりにくくなる。なお、取っ手３は、実施の形態１と同様、平面視における蓋体２の中心よりも前方に配置されていると、よりよい。
【００６４】
また、本実施の形態において、ラッチ受け部６は、本体１の左側と右側とに設けられている。このため、実施の形態１のようにラッチ受け部６が本体１の前側に設けられている場合に比べて、調理空間７から出し入れされる被調理物がラッチ受け部６の真上を通過する頻度が小さくなる。本実施の形態であれば、実施の形態１よりも、さらに、ラッチ受け部６に被調理物等の異物が付着しにくくなる。
【００６５】
実施の形態３．
次に、実施の形態３について説明する。上記した各実施の形態と同一または相当する部分については、説明を簡略化および省略する。図８は、実施の形態３の加熱調理器１００を模式的に示す側面図である。実施の形態３の加熱調理器１００の基本的な構成は、実施の形態２と同様である。実施の形態２との相違点を中心に、本実施の形態の加熱調理器１００について説明する。
【００６６】
図７は、蓋体２が閉じた状態の加熱調理器１００を左方から見た状態を示している。本実施の形態においては、蓋体２の右面に設けられた第１の取っ手３の前部と蓋体２の左面に設けられた第２の取っ手３の前部との少なくとも一方に、後方から下方に向けて湾曲する湾曲部３ａが含まれている。湾曲部３ａは、側面視において、凹状の形状を呈している。
【００６７】
使用者は、蓋体２を開閉する際に、湾曲部３ａに指をかけることができる。これにより、使用者が蓋体２を開閉する際に当該使用者の手が取っ手３から滑ってしまう可能性が低くなる。例えば、二人の使用者が加熱調理器１００を使用している際、一方の使用者が蓋体２を開けて、他方の使用者が調理空間７から被調理物を取り出す場合がある。本実施の形態であれば、上記の他方の使用者が調理空間７から被調理物を取り出している最中に、上記の一方の使用者が手を滑らせて蓋体２を閉じてしまうことが防止される。
【００６８】
なお、レバー５は、湾曲部３ａに設けられていることが好ましい。これにより、使用者は、湾曲部３ａに指をかけた状態でレバー５を操作することができる。本例であれば、蓋体２を開く際における操作性が、より良好になる。
【００６９】
実施の形態４．
次に、実施の形態４について説明する。上記した各実施の形態と同一または相当する部分については、説明を簡略化および省略する。本実施の形態の加熱調理器１００は、上記した各実施の形態と同様に、本体１、蓋体２、取っ手３、ラッチ部４およびレバー５を備えている。本体１には、ラッチ受け部６が設けられている。
【００７０】
図９および図１０は、実施の形態４の取っ手３とラッチ部４とレバー５との構造の具体例を模式的に示す断面図である。図９は、実施の形態１の図３と同様、ラッチ部４がラッチ受け部６に係合した状態を示している。また、図１０は、実施の形態１の図４と同様、ラッチ部４とラッチ受け部６との係合が解除された状態を示している。
【００７１】
本実施の形態においては、把持部の一例である取っ手３の下端は、操作部の一例であるレバー５の下端よりも低い位置にある。より具体的には、図９および図１０に示すように、取っ手３の外殻を構成する部材の下端が、レバー５の下端よりも低くなっている。これにより、レバー５が見えにくくなり、取っ手３およびこの取っ手３を備える加熱調理器１００の外形がなだらかになる。本実施の形態であれば、例えば、加熱調理器１００の意匠性を向上させることができる。
【００７２】
取っ手３とラッチ部４とレバー５との構造の具体例について、より詳細に説明する。実施の形態１と同様、ラッチ部４には、スリット４ｂが形成されている。レバー５は、スリット４ｂに挿入された軸部５ａに固定されている。本実施の形態においては、図９および図１０に示すように、レバー５およびラッチ部４は、共に水平方向にスライド可能である。本実施の形態において、使用者は、蓋体２を開く際、レバー５を水平方向に動かす。このような構成であれば、レバー５が取っ手３によって見えにくい状態であっても、当該レバー５の操作性が損なわれることがない。また、例えば、図１０に示すように、取っ手３は、当該取っ手３の外殻によってレバー５部を収納可能に構成されていてもよい。これにより、取っ手３およびこの取っ手３を備える加熱調理器１００の外形をよりなだらかにすることができる。
【００７３】
実施の形態５．
次に、実施の形態５について説明する。上記した各実施の形態と同一または相当する部分については、説明を簡略化および省略する。図１１は、実施の形態５の加熱調理器１００を模式的に示す斜視図である。本実施の形態の加熱調理器１００は、上記した各実施の形態と同様に、本体１、蓋体２、取っ手３、ラッチ部４およびレバー５を備えている。本体１には、ラッチ受け部６が設けられている。
【００７４】
また、本実施の形態の加熱調理器１００は、実施の形態２および実施の形態３と同様に、第１の取っ手３および第２の取っ手３を備えている。第１の取っ手３は、蓋体２の右面に設けられている。第１の取っ手３は、右方へ突出する。第２の取っ手３は、蓋体２の左面に設けられている。第２の取っ手３は、左方へ突出する。
【００７５】
本実施の形態において、ラッチ部４およびレバー５は、第１の取っ手３および第２の取っ手３の一方に設けられている。一例として、ラッチ部４およびレバー５は、第１の取っ手３の下面側に設けられている。第２の取っ手３には、ラッチ部４およびレバー５は設けられていない。
【００７６】
第１の取っ手３および第２の取っ手３の両方にレバー５が設けられている場合、使用者は、蓋体２の開けるために両方のレバー５を操作する必要がある。本実施の形態であれば、使用者は、蓋体２を開ける際、１つのレバー５のみを操作すればよい。これにより、例えば、使用者は、片手でラッチ部４とラッチ受け部６との係合を解除することができる。また、例えば、使用者は、片手で蓋体２を開けながら、反対側の手で調理空間７から被調理物を取り出すことができる。また、例えば、使用者は、両方の取っ手３を押し下げることで、容易に蓋体２を閉じることができる。
【００７７】
本実施の形態のように、ラッチ部４およびレバー５は、少なくとも１つの取っ手３に設けられていればよい。なお、本実施の形態において、ラッチ部４およびレバー５は、使用者の利き手に合わせた位置に設置されているとよりよい。例えば、使用者の利き手が右手の場合は、ラッチ部４およびレバー５は、蓋体２の左面に設けられた第２の取っ手３に設けられていると、よりよい。また、使用者の利き手が左手の場合には、ラッチ部４およびレバー５は、蓋体２の右面に設けられた第１の取っ手３に設けられていると、よりよい。
【符号の説明】
【００７８】
１  本体、  ２  蓋体、  ３  取っ手、  ３ａ  湾曲部、  ４  ラッチ部、  ４ａ  爪部、  ４ｂ  スリット、  ５  レバー、  ５ａ  軸部、  ６  ラッチ受け部、  ６ａ  ラッチ止め部、  ６ｂ  台部、  ７  調理空間、  ８  コイルばね、  ９  手、  １００  加熱調理器
【図１】
2020000447.tif 000003
【図２】
2020000447.tif 000004
【図３】
2020000447.tif 000005
【図４】
2020000447.tif 000006
【図５】
2020000447.tif 000007
【図６】
2020000447.tif 000008
【図７】
2020000447.tif 000009
【図８】
2020000447.tif 000010
【図９】
2020000447.tif 000011
【図１０】
2020000447.tif 000012
【図１１】
2020000447.tif 000013